(57)【要約】【課題】誤放電を抑制し、輝度の向上を可能とするプラズマディスプレイパネルを実現することを目的とする。【解決手段】隔壁１２は、行方向の隔壁１２ａと列方向の隔壁１２ｂとで高さが異なる井桁状であり、誘電体層７は、高さが高い方の隔壁と当接する部分を有する井桁状の突出部７ａを備えていることを特徴とするプラズマディスプレイパネルである。このことにより、プラズマディスプレイパネルの内部の排気が十分に行われ、且つ、放電の際に発生する電荷の移動は突出部７ａにより阻止されるので、隣接する放電セル間での誤放電の発生が抑制される。【選択図】  図１
2005011743.tif 000002
【特許請求の範囲】
【請求項１】
走査電極と維持電極とからなる表示電極を覆う誘電体層を形成した前面板と、データ電極を表示電極に対して直交するように複数形成した背面板とを、内部に放電空間を形成するように隔壁を挟んで対向配置したプラズマディスプレイパネルにおいて、隔壁は、行方向と列方向とで高さが異なる井桁状であり、誘電体層は、高さが高い方の隔壁と当接する部分を有する井桁状の突出部を備えていることを特徴とするプラズマディスプレイパネル。
【請求項２】
高さが高い方の隔壁が、列方向の隔壁であることを特徴とする請求項１に記載のプラズマディスプレイパネル。
【請求項３】
突出部に包囲されることで誘電体層に形成される凹部の形状が、円、楕円、多角形の中から選ばれる一つの形状であることを特徴とする請求項１に記載のプラズマディスプレイパネル。
【請求項４】
突出部の少なくとも一部が、ブラックストライプからなることを特徴とする請求項１から３のいずれかに記載のプラズマディスプレイパネル。
【発明の詳細な説明】
【０００１】
【発明の属する技術分野】
本発明は表示デバイスとして知られているプラズマディスプレイパネルに関するものである。
【０００２】
【従来の技術】
近年、双方向情報端末として大画面、壁掛けテレビへの期待が高まっており、そのための表示デバイスとして、液晶表示パネル、フィールドエミッションディスプレイ、エレクトロルミネッセンスディスプレイ等の数多くのものがある。これらの表示デバイス中でもプラズマディスプレイパネル（ＰＤＰ）は、自発光型で美しい画像表示ができ、大画面化が容易である等の理由から、視認性に優れた薄型表示デバイスとして注目されており、高精細化および大画面化に向けた開発が進められている。
【０００３】
このＰＤＰには、大別して、駆動的にはＡＣ型とＤＣ型があり、放電形式では面放電型と対向放電型の２種類があるが、高精細化、大画面化および製造の簡便性から、現状では、ＡＣ型で面放電型のＰＤＰが主流を占めるようになってきている。
【０００４】
図１０にＰＤＰのパネル構造の一例を示しており、図１０に示すようにＰＤＰは、前面板２１と背面板２２とから構成されている。
【０００５】
前面板２１は、フロート法による硼珪素ナトリウム系ガラス等からなるガラス基板などの透明な前面側の基板２３上に、走査電極２４と維持電極２５とで対をなすストライプ状の表示電極２６を複数対配列して形成し、そしてその表示電極２６群を覆うように誘電体層２７を形成し、その誘電体層２７上にＭｇＯからなる保護膜２８を形成することにより構成されている。なお、走査電極２４および維持電極２５は、それぞれ透明電極２４ａ、２５ａおよびこの透明電極２４ａ、２５ａに電気的に接続されたＣｒ／Ｃｕ／ＣｒまたはＡｇ等からなるバス電極２４ｂ、２５ｂとから構成されている。
【０００６】
また、背面板２２は、前記前面側の基板２３に対向配置される背面側の基板２９上に、表示電極２６と直交する方向にアドレス電極３０を形成するとともに、そのアドレス電極３０を覆うように誘電体層３１を形成し、そして誘電体層３１上のアドレス電極３０間の位置に、アドレス電極３０と平行にストライプ状の複数の隔壁３２を形成するとともに、この隔壁３２間の側面および誘電体層３１の表面に蛍光体層３３を形成することにより構成されている。なお、カラー表示のために前記蛍光体層３３は、通常、赤、緑、青の３色が順に配置されている。
【０００７】
そして、以上の前面板２１と背面板２２とは、表示電極２６とアドレス電極３０とが直交し、内部に微小な放電空間を形成するように隔壁３２を挟んで対向配置するとともに、周囲を封着部材により封止し、そして前記放電空間にネオン及びキセノンなどを混合してなる放電ガスを６６５００Ｐａ（５００Ｔｏｒｒ）程度の圧力で封入することによりパネルが構成されている。
【０００８】
ＰＤＰの放電空間は、隔壁３２によって複数の区画に仕切られており、そしてこの隔壁３２間に単位発光領域となる複数の放電セルを形成するように表示電極２４を設けるとともに、表示電極２６とアドレス電極３０とを直交して配置している。
【０００９】
このＰＤＰでは、アドレス電極３０、表示電極２６に印加する周期的な電圧によって放電を発生させ、この放電による紫外線を蛍光体層３３に照射して可視光に変換することにより、画像表示を行っている。
【００１０】
走査電極２４と維持電極２５は、図１１に示すように、マトリクス表示の各ラインにおいて放電ギャップ３４を挟んで列方向に交互に配列されている。ここで、隔壁３２と一対の走査電極２４と維持電極２５で囲まれた領域が単位発光領域である放電セル３５となる。また、非発光領域３６には、コントラストを向上させる目的でブラックストライプ（不図示）を形成することもある（例えば、非特許文献１参照）。
【００１１】
【非特許文献１】
内池平樹、御子柴茂生共著、「プラズマディスプレイのすべて」  （株）工業調査会、１９９７年５月１日、ｐ７９−ｐ８０
【００１２】
【発明が解決しようとする課題】
このＰＤＰの発展のためには、更なる高輝度化、高効率化、低消費電力化、低コスト化が不可欠となっている。高輝度化を達成するためには図１１に示した構成において、隣接する放電セル３５間の非発光領域３６を狭くし、放電ギャップ３４側の電極間隔を広げることで放電の領域を広くする必要があるが、この場合、隣接する放電セル３５間での誤放電が増加するという問題が生じる場合がある。
【００１３】
本発明はこのような課題に鑑みてなされたもので、誤放電を抑制し、輝度の向上を可能とするプラズマディスプレイパネルを実現することを目的とする。
【００１４】
【課題を解決するための手段】
この目的を達成するために本発明のプラズマディスプレイパネルは、走査電極と維持電極とからなる表示電極を覆う誘電体層を形成した前面板と、データ電極を表示電極に対して直交するように複数形成した背面板とを、内部に放電空間を形成するように隔壁を挟んで対向配置したプラズマディスプレイパネルにおいて、隔壁は、行方向と列方向とで高さが異なる井桁状であり、誘電体層は、高さが高い方の隔壁と当接する部分を有する井桁状の突出部を備えていることを特徴とするものである。
【００１５】
【発明の実施の形態】
すなわち、本発明の請求項１に記載の発明は、走査電極と維持電極とからなる表示電極を覆う誘電体層を形成した前面板と、データ電極を表示電極に対して直交するように複数形成した背面板とを、内部に放電空間を形成するように隔壁を挟んで対向配置したプラズマディスプレイパネルにおいて、隔壁は、行方向と列方向とで高さが異なる井桁状であり、誘電体層は、高さが高い方の隔壁と当接する部分を有する井桁状の突出部を備えていることを特徴とするプラズマディスプレイパネルである。
【００１６】
また、請求項２に記載の発明は、請求項１に記載の発明において、高さが高い方の隔壁が、列方向の隔壁であることを特徴とするものである。
【００１７】
また、請求項３に記載の発明は、請求項１に記載の発明において、突出部に包囲されることで誘電体層に形成される凹部の形状が、円、楕円、多角形の中から選ばれる一つの形状であることを特徴とするものである。
【００１８】
また、請求項４に記載の発明は、請求項１から３のいずれかに記載の発明において、突出部の少なくとも一部が、ブラックストライプからなることを特徴とするものである。
【００１９】
以下、本発明の一実施の形態によるプラズマディスプレイパネルについて、図面を用いて説明する。
【００２０】
図１は、本発明の一実施の形態によるプラズマディスプレイパネルの概略構成を示す断面斜視図である。
【００２１】
図１に示すように、ＰＤＰは、前面板１と背面板２とから構成されている。
【００２２】
前面板１は、フロート法による硼珪素ナトリウム系ガラス等からなるガラス基板などの透明な前面側の基板３上に、走査電極４と維持電極５とで対をなすストライプ状の表示電極６を複数対配列して形成し、そしてその表示電極６群を覆うように誘電体層７を形成し、その誘電体層７上にＭｇＯからなる保護膜８を形成することにより構成されている。なお、走査電極４および維持電極５は、それぞれ透明電極４ａ、５ａ、およびこの透明電極４ａ、５ａに電気的に接続されたＣｒ／Ｃｕ／ＣｒまたはＡｇ等からなるバス電極４ｂ、５ｂとから構成されている。また、誘電体層７は、井桁状の突出部７ａを備えている。
【００２３】
また、背面板２は、基板３に対向配置される背面側の基板９上に、表示電極６と直交する方向にアドレス電極１０を形成するとともに、そのアドレス電極１０を覆うように誘電体層１１を形成し、そして誘電体層１１上に隔壁１２を形成しており、隔壁１２の形状は、行方向の隔壁１２ａと列方向の隔壁１２ｂとでは高さが異なる井桁状である。そして、この隔壁１２間の側面および誘電体層１１の表面には蛍光体層１３を形成している。なお、カラー表示のために前記蛍光体層１３は、通常、赤、緑、青の３色が順に配置されている。
【００２４】
そして、以上の前面板１と背面板２とを、表示電極６とアドレス電極１０とが直交し、内部に微小な放電空間を形成するように隔壁１２を挟んで対向配置するとともに、周囲を封着部材により封止し、そして前記放電空間にネオン及びキセノンなどを混合してなる放電ガスを６６５００Ｐａ（５００Ｔｏｒｒ）程度の圧力で封入することによりＰＤＰを構成している。
【００２５】
このＰＤＰの放電空間は、隔壁１２によって複数の区画に仕切られており、そして、この隔壁１２間に単位発光領域となる複数の放電セルが形成されるように表示電極６が設けられるとともに、表示電極６とアドレス電極１０とが直交して配置されている。
【００２６】
このＰＤＰでは、アドレス電極１０、表示電極６に印加する周期的な電圧によって放電を発生させ、この放電による紫外線を蛍光体層１３に照射して可視光に変換させることにより、画像表示を行う。
【００２７】
図２に、本発明の一実施の形態によるＰＤＰの画像表示部の概略構成を平面図で示す。走査電極４と維持電極５は、図２に示すように、マトリクス表示の各ラインにおいて放電ギャップ１４を挟んで隣接するように列方向に交互に配列されている。ここで、行方向の隔壁１２ａと列方向の隔壁１２ｂとで囲まれた領域が単位発光領域である放電セル１５となる。また、非発光領域１６には、コントラストを向上させる目的でブラックストライプ（不図示）を形成することがある。また、図２中での、Ａ−Ａ矢視断面図、Ｂ−Ｂ矢視断面図、Ｃ−Ｃ矢視断面図、Ｄ−Ｄ矢視断面図をそれぞれ、図３、図４、図５、図６に示す。
【００２８】
以上説明した本発明の一実施の形態によるＰＤＰにおいて特徴的な点は、隔壁１２の形状が、行方向の隔壁１２ａと列方向の隔壁１２ｂとで高さが異なる井桁状であり、また、誘電体層７は、行方向と列方向とで高さが等しい井桁状の突出部７ａを備え、この誘電体層７の突出部７ａが隔壁１２のうちの高さの高い方、すなわち、図１〜図６に示す構成においては、列方向の隔壁１２ｂと当接する部分を有することである。すなわち、突出部７ａの少なくとも一部が、高いほうの隔壁１２ｂと当接する構成である。この構成により、ＰＤＰ内部の真空排気時の問題が抑制されるとともに、隣接する放電セル１５間での誤放電の問題も抑制されることとなる。
【００２９】
すなわち、誤放電を抑制するために、隔壁１２を井桁形状とすることで放電セル１５の四方を物理的に仕切る構成とした場合、隔壁１２が、例えば図７に概略構成の断面図を示すように、行方向の隔壁１２ａの高さと列方向の隔壁１２ｂの高さとが等しい場合には、ＰＤＰの製造工程における内部の真空排気が困難になるという問題が生じる場合があり、また、隔壁１２の形成時のばらつきにより高さが異なったり、蛍光体層１３の形成の際、若干の蛍光体材料が隔壁１３の頂部に乗り上げたりした場合、前面板１と隔壁１２との間に隙間が生じてしまい、その隙間を通って、電荷が隣接する放電セル１５間を移動しやすくなるため、誤放電が発生しやすくなってしまうという問題が発生する場合がある。
【００３０】
また、隔壁１２が、例えば図８に概略構成の断面図を示すように、例えば、行方向の隔壁１２ａの高さを列方向の隔壁１２ｂの高さよりも低くした、段違いの井桁である場合、前述の排気の問題が抑制されるが、前面板１と隔壁１２との間の隙間が大きくなることから、隣接する放電セル１５間での誤放電の抑制ができなくなるという問題が発生する場合がある。
【００３１】
ここで、誤放電の抑制の効果が低下する理由としては、図７および図８に示すような、誘電体層７の表面で発生した放電１８においては、電荷は誘電体層７の表面に沿った方向にベクトルを持つため、図７および図８のように、放電の発生と同一平面に隔壁１２との隙間が存在すると、電荷が隣接する放電セル１５に容易に移動しやすくなり、誤放電が発生するということが考えられる。
【００３２】
これに対し、本実施の形態においては、図１〜図６に示すように、隔壁１２の形状が、行方向の隔壁１２ａと列方向の隔壁１２ｂとでは高さが異なる井桁状であり、誘電体層７が、高さの高い方の隔壁、すなわち、図１〜図６に示す構成においては、列方向の隔壁１２ｂと当接する部分を有する突出部７ａを備えている。このことにより、図３に示すように、放電１８が誘電体層７の表面で発生し、誘電体層７の表面に沿ったベクトルを持ち、また、内部の真空排気時の問題を抑制するために、前面板１と隔壁１２ａとの間に隙間が形成され、また、何らかの事情により、前面板１と隔壁１２ｂとの間に隙間が生じてしまった場合でも、誘電体層７の突出部７ａにより、隣接する放電セル１５へ電荷が移動することは阻止されることとなる。すなわち、これは、本実施の形態によるＰＤＰが、隔壁１２（すなわち、隔壁１２ａおよび隔壁１２ｂ）と前面板１との間の当接面と放電が発生する面とを同一平面上に形成していないことによるものである。
【００３３】
また、図９に、突出部７ａに包囲されることで誘電体層７に形成される凹部の概略形状を斜視図で示す。突出部７ａにより包囲されることで形成される凹部７ｂの形状は、図９（ａ）に示す四角形以外にも、図９（ｂ）〜（ｄ）に示すように、円や楕円、多角形、四隅を面取り（図では丸面取り）した四角形等でも良い。ここで、突出部７ａにより包囲されることで形成される凹部７ｂの形状が、図９（ｂ）〜（ｄ）に示すような形状であると、凹部７ｂの角において、そこに作用する応力集中を緩和することができ、誘電体層７の突出部７ａの形状を安定して作製することができるため、好ましい。なお、図９には、一つの放電セル１５における、突出部７ａにより包囲された部分である凹部７ｂの形状を示すものであり、前面板１全体では、この凹部７ｂがマトリクス状に存在することにより、突出部７ａは井桁状を呈するものとなっている。
【００３４】
また、誘電体層７上に形成する突出部７ａは、各放電セルの非発光領域１６に形成する場合にはブラックストライプのように黒色のものでも良い。この場合は、突出部７ａとブラックストライプとを兼用できるため、突出部７ａの作製による工程数の増加が発生しない。
【００３５】
ここで、突出部７ａにおける膜厚は、誘電体層７の膜厚と突出部７ａの膜厚との合計として、５μｍ〜６０μｍが好ましい。例えば、放電ギャップ１４上の誘電体層７の膜厚が３０μｍで、突出部７ａの膜厚が２０μｍの場合、突出部７ａにおける総厚は合わせて５０μｍとなる。
【００３６】
【発明の効果】
以上述べてきたように本発明のプラズマディスプレイによると、誤放電を抑制し、輝度の向上を可能とするプラズマディスプレイパネルを実現することができる。
【図面の簡単な説明】
【図１】本発明の実施の形態によるプラズマディスプレイパネルの概略構成を示す断面斜視図
【図２】本発明の実施の形態によるプラズマディスプレイパネルの概略構成を示す平面図
【図３】図２におけるＡ−Ａ矢視断面図
【図４】図２におけるＢ−Ｂ矢視断面図
【図５】図２におけるＣ−Ｃ矢視断面図
【図６】図２におけるＤ−Ｄ矢視断面図
【図７】誤放電抑制効果が得られない理由を説明するための図
【図８】同じく、誤放電抑制効果が得られない理由を説明するための図
【図９】誘電体層の突出部に包囲されることで形成される凹部の概略形状を示す斜視図
【図１０】従来のプラズマディスプレイパネルの概略構成を示す断面斜視図
【図１１】従来のプラズマディスプレイパネルの概略構成を示す平面図
【符号の説明】
１  前面板
２  背面板
４  走査電極
５  維持電極
６  表示電極
７  誘電体層
８  保護膜
１２  隔壁
１２ａ  行方向の隔壁
１２ｂ  列方向の隔壁
【図１】
2005011743.tif 000003
【図２】
2005011743.tif 000004
【図３】
2005011743.tif 000005
【図４】
2005011743.tif 000006
【図５】
2005011743.tif 000007
【図６】
2005011743.tif 000008
【図７】
2005011743.tif 000009
【図８】
2005011743.tif 000010
【図９】
2005011743.tif 000011
【図１０】
2005011743.tif 000012
【図１１】
2005011743.tif 000013